(57)【要約】【課題】特別な表示領域を必要とせずに、速やかに所望の領域からデータ処理を開始させることが可能なデータ処理装置およびデータ処理方法を実現する。【解決手段】ウィンドウ４０においては、内視鏡観察フォルダに含まれる第１〜第４のデータファイル４１〜４４等が一覧表示されている。第１〜第４のデータファイル４１〜４４の各ファイル名に含まれる複数個の指標、すなわちアルファベット、数字、ドット等の記号と、各データファイルのデータ領域とは対応している。このため、第２のデータファイル４２の処理を開始させるべく、ファイル名“ｓａｍｐｌｅ１．ｍｐｅｇ”中のいずれかのアルファベットがダブルクリックされて指定されると、第２のデータファイル４２の処理は、選択された全指標中の指定されたアルファベットの位置に対応するデータ領域から開始される。【選択図】図２
2011146907.tif 000002
【特許請求の範囲】
【請求項１】
識別情報を有するデータファイルを処理するデータ処理手段と、
前記データファイルの処理を所定のデータ領域から開始させるように制御するデータ処理制御手段とを備え、
表示されている前記識別情報に含まれる領域と前記データファイルのデータ領域とが対応しており、前記データ処理制御手段が、前記データファイルの処理を開始させるために前記識別情報が選択される動作において指定された前記識別情報の指定領域に対応した前記データ領域から処理を開始させることを特徴とするデータ処理装置。
【請求項２】
前記識別情報に含まれる複数の指標と前記データ領域とが対応しており、いずれかの前記指標が、前記指定領域として指定されることを特徴とする請求項１に記載のデータ処理装置。
【請求項３】
前記識別情報において、所定の前記データ領域に対応した領域を特定領域として特定可能であることを特徴とする請求項１に記載のデータ処理装置。
【請求項４】
前記特定領域が、前記データファイルの前回の処理が終了した前記データ領域に対応していることを特徴とする請求項３に記載のデータ処理装置。
【請求項５】
前記識別情報を含む表示領域と前記データ領域とが対応しており、前記表示領域における任意の点が、前記指定領域として指定されることを特徴とする請求項１に記載のデータ処理装置。
【請求項６】
前記データファイルの全データ領域における、前記指定領域に対応した前記データ領域の位置を示すデータ領域表示を表示するデータ領域表示手段をさらに有することを特徴とする請求項１に記載のデータ処理装置。
【請求項７】
前記データ領域表示において、実際に処理を開始させる前記データ領域を調整可能であることを特徴とする請求項６に記載のデータ処理装置。
【請求項８】
前記識別情報が選択されると、前記データファイルの処理方法を選択するための選択肢を表示する選択肢表示手段をさらに有することを特徴とする請求項１に記載のデータ処理装置。
【請求項９】
前記識別情報が、前記データファイルのファイル名またはタイトル名であることを特徴とする請求項１に記載のデータ処理装置。
【請求項１０】
前記識別情報が、文字、記号の少なくともいずれかを含むことを特徴とする請求項１に記載のデータ処理装置。
【請求項１１】
前記記号がアイコンを含むことを特徴とする請求項１０に記載のデータ処理装置。
【請求項１２】
前記識別情報が、前記データファイルの再生時間の長さ、前記データファイルのサイズ、変更日時、更新日時、前記データファイルに付されたコメントの少なくともいずれかを含むことを特徴とする請求項１に記載のデータ処理装置。
【請求項１３】
請求項１に記載のデータ処理装置を備えたことを特徴とする内視鏡システム。
【請求項１４】
識別情報が付されたデータファイルの処理を開始させるために、表示されている前記識別情報が選択される動作において指定された前記識別情報の指定領域に対応する前記データファイルのデータ領域を認識するデータ領域認識工程と、
前記指定領域に対応した前記データ領域から処理を開始させる処理開始工程とを備えることを特徴とするデータ処理方法。
【発明の詳細な説明】
【技術分野】
【０００１】
本発明は、データ処理装置およびデータ処理方法に関する。
【背景技術】
【０００２】
一般に、文書、動画像等のデータファイルを再生し、あるいは編集等の処理を施す場合、まずデータファイルが開かれる。そして開かれたデータファイルは、通常、最初の領域から再生される。このため、データファイルの途中の領域から再生、処理を施す場合、文書であれば該当する頁を探し、動画像であれば早送りさせるといった動作が必要となる。
【０００３】
また、動画像から時系列のサムネイル画像を形成、表示させ、動画像を途中から再生可能にすることが知られている（特許文献１〜３参照）。この場合、いずれかのサムネイル画像が指定されると、指定されたサムネイル画像に対応する領域から動画像が再生される。
【先行技術文献】
【特許文献】
【０００４】
【特許文献１】特開２００８−２２８１３４号公報
【特許文献２】特開２００８−３１１８４７号公報
【特許文献３】特開２００９−２４６７２２号公報
【発明の概要】
【発明が解決しようとする課題】
【０００５】
データファイルの途中の領域から再生等の処理を施すためには、所望の領域を指定する必要がある。そしてデータファイルが常に最初から再生される場合、所望の領域を指定するためには、煩雑な操作と比較的長い時間を要してしまう。
【０００６】
また、複数のサムネイル画像を表示させることにより、動画像の途中から再生を可能にする場合、再生開始後には不要となり得るサムネイル画像を表示するための表示領域が必要となる。さらに、サムネイル画像を生成する処理および表示が必要となるため、電力消費量とデータ処理のための所要時間の増大を招く。
【０００７】
本発明は、特別な表示領域を必要とせずに、速やかに所望の領域からデータ処理を開始させることが可能なデータ処理装置およびデータ処理方法の実現を目的とする。
【課題を解決するための手段】
【０００８】
本発明のデータ処理装置は、識別情報を有するデータファイルを処理するデータ処理手段と、データファイルの処理を所定のデータ領域から開始させるように制御するデータ処理制御手段とを備えている。データ処理装置においては、表示されている識別情報に含まれる領域とデータファイルのデータ領域とが対応しており、データ処理制御手段が、データファイルの処理を開始させるために識別情報が選択される動作において指定された識別情報の指定領域に対応したデータ領域から処理を開始させる。
【０００９】
データ処理装置においては、識別情報に含まれる複数の指標とデータ領域とが対応しており、いずれかの指標が、指定領域として指定されることが好ましい。また、識別情報においては、所定のデータ領域に対応した領域を特定領域として特定可能であることが好ましい。特定領域は、例えば、データファイルの前回の処理が終了したデータ領域に対応している。
【００１０】
識別情報を含む表示領域とデータ領域とは対応しており、表示領域における任意の点が、指定領域として指定されることが好ましい。データ処理装置は、データファイルの全データ領域における、指定領域に対応したデータ領域の位置を示すデータ領域表示を表示するデータ領域表示手段をさらに有することが好ましい。データ領域表示においては、実際に処理を開始させるデータ領域を調整可能であることがより好ましい。
【００１１】
データ処理装置は、識別情報が選択されると、データファイルの処理方法を選択するための選択肢を表示する選択肢表示手段をさらに有することが好ましい。
【００１２】
識別情報は、例えば、データファイルのファイル名またはタイトル名である。識別情報は、例えば、文字、記号の少なくともいずれかを含む。この場合、例えば、記号はアイコンを含む。識別情報は、例えば、データファイルの再生時間の長さ、データファイルのサイズ、変更日時、更新日時、データファイルに付されたコメントの少なくともいずれかを含む。
【００１３】
本発明の内視鏡システムは、上述のデータ処理装置を備えたことを特徴とする。
【００１４】
本発明のデータ処理方法は、識別情報が付されたデータファイルの処理を開始させるために、表示されている識別情報が選択される動作において指定された識別情報の指定領域に対応するデータファイルのデータ領域を認識するデータ領域認識工程と、指定領域に対応したデータ領域から処理を開始させる処理開始工程とを備えることを特徴とする。
【発明の効果】
【００１５】
本発明によれば、特別な表示領域を必要とせずに、速やかに所望の領域からデータ処理を開始させることが可能なデータ処理装置およびデータ処理方法を実現できる。
【図面の簡単な説明】
【００１６】
【図１】第１の実施形態の内視鏡システムを概略的に示す図である。
【図２】保存されているデータファイルがモニタ上に一覧表示されているウィンドウを例示する図である。
【図３】データファイルが再生されているウィンドウを例示する図である。
【図４】図３とは異なるデータファイルが再生されているウィンドウを例示する図である。
【図５】第２の実施形態のデータファイルがモニタ上に一覧表示されているウィンドウを例示する図である。
【図６】第３の実施形態のデータファイルがモニタ上に一覧表示されているウィンドウを例示する図である。
【図７】スライドバーが表示されているウィンドウを例示する図である。
【図８】データ処理制御ルーチンを示すフローチャートである。
【図９】第４の実施形態のデータファイルがモニタ上に一覧表示されているウィンドウを例示する図である。
【発明を実施するための形態】
【００１７】
以下、本発明の実施形態を、図面を参照して説明する。図１は、第１の実施形態の内視鏡システムを概略的に示す図である。
【００１８】
内視鏡システム１０は、プロセッサ２０とパソコン３０とを含む。プロセッサ２０には、スコープ（図示せず）が取り付けられる。スコープの挿入部は、体内器官の画像データを生成するために、体腔内に挿入される。パソコン３０は、画像データ等のデータを処理するパソコン本体３２を有する。パソコン本体３２には、モニタ３４、マウス３６、キーボード３８が接続されている。
【００１９】
パソコン本体３２においては、パソコン本体３２全体を制御するＣＰＵ（図示せず）が内蔵されている。また、パソコン本体３２のハードディスクドライブ（データ記憶手段）には、プロセッサ２０から送信された画像データ等のデータファイルが記憶されている。
【００２０】
図２は、ハードディスクドライブのフォルダに保存されているデータファイルがモニタ３４上に一覧表示されているウィンドウを例示する図である。図３は、データファイルが再生されているウィンドウを例示する図であり、図４は、図３とは異なるデータファイルが再生されているウィンドウを例示する図である。
【００２１】
ハードディスクドライブに保存されているフォルダ、例えば内視鏡観察という名称のフォルダが開かれると、ウィンドウ４０がモニタ３４（図１参照）上に表示される。ウィンドウ４０においては、内視鏡観察フォルダに含まれる第１〜第４のデータファイル４１〜４４等が一覧表示されている。第１〜第４のデータファイル４１〜４４は、それぞれ順にテキストファイル、動画像ファイル、音声ファイル、静止画像ファイルである。
【００２２】
ウィンドウ４０においては、フォルダ名４６とともに各データファイル４１〜４４のファイルサイズ４８が表示されている。そして第１〜第４のデータファイル４１〜４４のファイル名等が表示されている表示エリア５０をスクロールする場合、マウス３６（図１参照）によるスクロールボタン５２のクリック、またはスクロールボックス５４のドラッグが用いられる。
【００２３】
本実施形態では、第１〜第４のデータファイル４１〜４４を識別するためのファイル名（識別情報）に含まれる複数個の指標、すなわちアルファベット、数字、ドット等の記号と、各データファイルのデータ領域とが対応している。例えば、第２のデータファイル４２の処理を開始させるべくファイル名“ｓａｍｐｌｅ１．ｍｐｅｇ”が選択される際に、アルファベット“ｓ”がダブルクリックされて、全ファイル名“ｓａｍｐｌｅ１．ｍｐｅｇ”の指標における最初の“ｓ”が指定されると、第２のデータファイル４２の最初から再生が開始される（図３参照）。
【００２４】
なおこのとき、ファイル名“ｓａｍｐｌｅ１．ｍｐｅｇ”の選択により、動画像再生プログラムが自動的に起動される。このように、本明細書におけるデータファイルの処理には、データファイルの編集、送信等のみならず、データファイルの再生も含まれる。また、データファイルの再生なしに、編集、あるいは送信等の処理が実行されても良い。
【００２５】
上述のように本実施形態では、例えばクリック動作によりファイル名が選択される際に、そのファイル名に含まれる複数の指標のいずれかを指定することにより、ファイル名の指標全体における指定された領域（以下、指定領域という）の位置に対応したデータ領域から、データファイルを再生等することができる。
【００２６】
図３では、２つのスクロールボタン５６の間で移動可能なスクロールボックス５８が、左側の端部にある。これは、全指標中の指定領域が最初のアルファベット“ｓ”であったことから、第２のデータファイル４２の全データ領域における指定領域に対応した再生開始位置が、データ領域の最初だからである。このように、ファイル名に含まれる指標のみならず、スクロールボックス５８の位置も第２のデータファイル４２のデータ領域に対応している。
【００２７】
ウィンドウ４０の表示中には、第２のデータファイル４２において、実際に再生を開始させる位置を調整することもできる。この再生開始位置の調整は、スクロールボタン５６の操作等でスクロールボックス５８の位置を変更することにより、可能である。このスクロールボックス５８の位置の変更は、動画が再生中であるか否かに関わらず、可能である。なお、第２のデータファイル４２を再生させるために、ウィンドウ４０に含まれる再生ボタン６１、停止ボタン６２、巻戻しボタン６３、早送りボタン６４等が操作される。
【００２８】
また、図２のウィンドウ４０において、第３のデータファイル４３が選択される際にファイル名“ｓａｍｐｌｅ２．ａｉｆｆ”のうちアルファベット“ｌ”が指定された場合、第３のデータファイル４３の途中のデータ領域が編集対象位置として定められる（図４参照）。より具体的には、例えば、１２個の指標からなるファイル名“ｓａｍｐｌｅ２．ａｉｆｆ”において、左から５番目に位置するアルファベット“ｌ”が指定されたことから、第３のデータファイル４３の全データ領域を略１２等分したうちの開始側から４番目のデータ領域が編集対象となる。
【００２９】
従って図４においては、スクロールボックス５８の位置が、２つのスクロールボタン５６の間の中心よりもやや左側となっている。なおファイル名“ｓａｍｐｌｅ２．ａｉｆｆ”が選択されたときには、音声編集プログラムが自動的に起動される。
【００３０】
データが文書ファイルであった場合においても、データ処理の開始位置は、全指標中の指定領域に位置に応じて定められる。例えば、１０００行の文章がデータとして含まれており、合計１０個のアルファベット、記号でファイル名“ｒｅａｄｍｅ．ｔｘｔ”が形成されている第１のデータファイル４１（図２参照）において、アルファベット“ａ”が指定されると、テキストエディタにより、再生、編集の初期位置が、例えば２００行目、あるいは３００行目に自動的に設定される。
【００３１】
また、本実施形態では、ファイル名に含まれる指標のうち、データファイルの所定のデータ領域に対応した指標を特定させることもできる。例えば、内視鏡観察により得られた画像データにおいて、後に処置を施すことが必要である患部が含まれるといった重要な画像が、全データ領域の略中心に位置する場合、そのファイル名を構成する全指標の中心に位置する指標に、他とは異なる色を付し、あるいは下線を引くことができる。この場合、例えばマウス３６またはキーボード３８（図１参照）が使用される。
【００３２】
このように、ファイル名中のいずれかの指標を特定領域として他の指標と差別化することにより、たとえ異なるユーザがデータを取り扱う場合であっても、より重要なデータから優先的に再生等させることができる。また、指標中の特定領域は、データファイルの前回の処理が終了したデータ領域に対応させても良い。この場合、次回のデータ処理をどの位置から継続させるべきかが、容易に判断可能である。
【００３３】
なお、上述のように所定のデータ領域から開始されるデータファイルの処理は、パソコン本体３２（図１参照）のＣＰＵ（制御手段）により制御される。また、データファイルを処理する演算も、パソコン本体３２のＣＰＵ（データ処理手段）において行われる。
【００３４】
以上のように本実施形態によれば、ファイル名に含まれる指標の位置と、データファイルのデータ領域とを対応させることにより、所望の領域からデータ処理を開始させることができる。そして、ファイル名を選択してデータファイルを開く動作において、いずれかの指標を指定することのみによってデータ処理の開始位置が自動的に定められることから、特別な機器、操作は不要であり、容易かつ速やかに、データ処理を開始させることができる。
【００３５】
さらに、データ処理の開始位置を定めるためだけの特別な表示、例えば、複数のサムネイル画像等は不要である。このため、携帯電話器等の小型電子機器においても、処理を開始させるデータ領域を容易に設定することができる。
【００３６】
次に、第２の実施形態について、第１の実施形態との相違点を中心に説明する。図５は、本実施形態のデータファイルがモニタ３４上に一覧表示されているウィンドウ４０を例示する図である。
【００３７】
本実施形態では、データファイルのファイル名を含む所定の表示エリア６６と、データファイルのデータ領域とが対応している。本実施形態では、表示エリア６６の幅６６Ｗ、すなわち表示エリア６６の左側の輪郭線６６Ａから右側の輪郭線６６Ｂまでの長さが、各データファイルの全データ領域に対応している。
【００３８】
そして、第１のデータファイル４１を選択する際に、ポインティングディバイス（図示せず）等を用いて表示エリア６６のいずれかの点が指定されると、指定された点の位置に応じて、第１のデータファイル４１の処理を開始するデータ領域上の位置が設定される。例えば、指定された点が右側の輪郭線６６Ｂに近く、左側の輪郭線６６Ａと指定点との距離が、幅６６Ｗの９割程度であった場合、１０００行分のデータを有する第１のデータファイル４１を処理する初期位置は、例えば８００行目〜９００行目等に自動的に設定される。
【００３９】
データファイルの処理を開始する初期位置は、幅６６Ｗに沿って横方向に並ぶ全画素における、指定点を含む画素の位置を基準として演算される。例えば、幅６６Ｗに沿って配列された画素の総数が２３４であり、第２のデータファイル４２を選択するために“ｓａｍｐｌｅ１．ｍｐｅｇ”のファイル名中で指定された点と左側の輪郭線６６Ａとの間の横方向に沿った画素数が６７であった場合、第２のデータファイル４２は、全データ領域の６７／２３４に対応する位置から処理が開始される。
【００４０】
なおデータ領域上の処理開始位置を概ね正確に設定できるように、左側および右側の輪郭線６６Ａ、６６Ｂは視認できるように表示されている。ただし、輪郭線６６Ａ、６６Ｂの代わりに、ウィンドウ４０の輪郭線や、スクロールボックス５４を含むスクロールバーの輪郭線を用いて表示エリア６６を規定しても良い。
【００４１】
以上のように本実施形態によれば、表示エリア６６中の画素数に基づいてデータファイルの処理の初期位置をより詳細に定めることが可能である。なお、指標の数が多いファイル名が複数行に渡って表示されている場合、複数行の表示エリア６６を想定しても良い。例えば、幅６６Ｗに沿って配置された画素の総数が３４５であって、ファイル名が３行目まで表示されているときに、第２行目の左から７８番目の画素に指定点が含まれた場合、全データ領域における（３４５＋７８）／３４５×３の演算結果に対応する位置を、処理の初期位置として定めても良い。
【００４２】
次に、第３の実施形態について、上述の実施形態との相違点を中心に説明する。図６は、本実施形態のデータファイルがモニタ３４上に一覧表示されているウィンドウ４０を例示する図である。図７は、スライドバーが表示されているウィンドウ４０を例示する図である。
【００４３】
本実施形態においては、ファイル名が選択されると、そのファイル名が付されたデータファイルに対して可能な処理方法を選ぶためのコンテクストメニュー６８がウィンドウ４０にて表示される。例えば、ファイル名“ｓａｍｐｌｅ２．ａｉｆｆ”が右クリックされて第３のデータファイル４３が選択されると、第３のデータファイル４３に対して可能な処理の選択肢として、再生（Ｐｌａｙ）、編集（Ｅｄｉｔ）、送信（Ｓｅｎｄ）の３つを含むコンテクストメニュー６８が表示される。
【００４４】
そしてユーザが第３のデータファイル４３を再生させるためにコンテクストメニュー６８のＰｌａｙの領域をクリックして選択すると、さらに図７に示されるスライドバー７０およびスライダ７２が表示される。本実施形態では、スライドバー７０の長さが、第３のデータファイル４３の全データ領域に対応しており、スライドバー７０におけるスライダ７２の位置が、第３のデータファイル４３の全データ領域において処理を開始させる初期位置、すなわち指定領域の位置に対応している。
【００４５】
従って、これまでの実施形態と同様に、ファイル名“ｓａｍｐｌｅ２．ａｉｆｆ”を選択するときのクリック動作によりいずれかの指標が指定され、あるいは表示エリア６６（図５参照）中のある一点が指定されたときには、パソコン本体３２のＣＰＵにおいて指定領域が算出され、さらに指定領域に対応したスライダ７２の位置が算出される。
【００４６】
例えば、全データ領域の中心がファイル名の指標中の指定領域に対応する場合、図７にて示されたように、第３のデータファイル４３の全データの再生には１分２０秒間要するところ、その半分の４０秒経過時点のデータ領域から再生が開始されるように、スライダ７２の表示位置が調整される。なお本実施形態においても、スライドバー７０およびスライダ７２が表示された状態で、全データ領域中の実際に処理を開始させる位置を調整することができる。この場合、図７にて例示されたスライダ７２の位置が、マウス３６のドラッグ操作等により変更される。また、例えば選択されたデータファイルの前回の処理が終了したデータ領域に対応するように、スライダ７２の初期位置を定めても良い。
【００４７】
なお、データファイルに対して実施可能な処理の選択肢は、データファイルの種類や、パソコン本体３２においてインストールされているソフトウェアの種類によって異なる。このため、コンテクストメニュー６８に含まれるデータ処理の選択肢は、データファイルごとに異なり得る。また、送信処理が行われる場合、データファイルは、例えばストリーミング再生されつつサーバを介して他のパソコン（いずれも図示せず）に送られる。
【００４８】
図８は、本実施形態におけるデータ処理制御ルーチンを示すフローチャートである。データ処理制御ルーチンは、ウィンドウ４０がモニタ３４上に表示されるとスタートする。
【００４９】
ステップＳ１０２では、ファイル名が選択されたか否かが判断され、選択されたと判断されるとステップＳ１０４に進む。ステップＳ１０４では、選択されたファイル名のデータファイルが再生可能であるか否かが判断される。データファイルが再生可能であると判断されるとステップＳ１０６に進み、再生可能でないと判断されるとステップＳ１０８に進む。ステップＳ１０６では、コンテクストメニュー６８の項目に再生（Ｐｌａｙ）が加えられる処理が実行され、ステップＳ１０８に進む。
【００５０】
ステップＳ１０８では、ステップＳ１０２で選択されたファイル名のデータファイルが編集可能であるか否かが判断される。データファイルが編集可能であると判断されるとステップＳ１１０に進み、編集可能でないと判断されるとステップＳ１１２に進む。ステップＳ１１０では、コンテクストメニュー６８の項目に編集（Ｅｄｉｔ）が加えられる処理が実行され、ステップＳ１１２に進む。
【００５１】
ステップＳ１１２では、ステップＳ１０２で選択されたファイル名のデータファイルが送信可能であるか否かが判断される。データファイルが送信可能であると判断されるとステップＳ１１４に進み、送信可能でないと判断されるとステップＳ１１６に進む。ステップＳ１１４では、コンテクストメニュー６８の項目に送信（Ｓｅｎｄ）が加えられる処理が実行され、ステップＳ１１６に進む。
【００５２】
ステップＳ１１６では、ステップＳ１０４〜Ｓ１１４において定められた所定の項目を含むコンテクストメニュー６８（図７参照）がウィンドウ４０上に表示され、ステップＳ１１８に進む。ステップＳ１１８では、マウス３６がクリックされたか否かが判断され、クリックされたと判断されるとステップＳ１２０に進む。ステップＳ１２０では、クリック位置がコンテクストメニュー６８上であったか否かが判断され、コンテクストメニュー６８上であったと判断されるとステップＳ１２２に進み、コンテクストメニュー６８上ではなかったと判断されるとステップＳ１２４に進む。
【００５３】
ステップＳ１２２では、ステップＳ１２０においてクリックされたコンテクストメニュー６８における項目用にスライドバー７０およびスライダ７２が表示され、ステップＳ１２６に進む。一方、ステップＳ１２４では、コンテクストメニュー６８が消去され、ステップＳ１０２に戻る。
【００５４】
ステップＳ１２６では、マウス３６の操作によりウィンドウ４０がクリックされたか否かが判断され、クリックされたと判断されるとステップＳ１２８に進む。ステップＳ１２８では、クリック位置がスライドバー７０上であったか否かが判断され、スライドバー７０上であったと判断されるとステップＳ１３０に進み、スライドバー７０上ではなかったと判断されるとステップＳ１３２に進む。ステップＳ１３０では、クリックされた位置にスライダ７２が移動するとともに、クリックされた位置に対応したデータ領域から再生、編集等の処理が行われ、ステップＳ１０２に戻る。
【００５５】
ステップＳ１３２では、クリック位置がスライダ７２上であったか否かが判断され、スライダ７２上であったと判断されるとステップＳ１３４に進み、スライダ７２上ではなかったと判断されるとステップＳ１２４に進み、コンテクストメニュー６８が消去される。ステップＳ１３４では、マウス３６が開放されてドラッグ操作が終了したか否かが判断され、マウス３６が開放されたと判断されるとステップＳ１３０に進んでデータ処理が開始され、マウス３６が開放されていないと判断されるとステップＳ１３６に進む。ステップＳ１３６では、マウスのドラッグ操作に対応するようにスライダ７２の位置が更新され、ステップＳ１３４に戻る。
【００５６】
以上のように本実施形態によれば、これまでの実施形態と同様に、データファイルを開くときにデータ処理の開始位置が容易に定められるとともに、選択されたデータファイルに対して可能な処理が容易に把握できる。
【００５７】
次に、第４の実施形態について、上述の実施形態との相違点を中心に説明する。図９は、本実施形態のデータファイルがモニタ３４上に一覧表示されているウィンドウ４０を例示する図である。
【００５８】
本実施形態においては、音楽や動画等のデータファイルを連続して再生するために、再生する順番に従ってリスト化されたプレイリストがウィンドウ４０上に表示される。例えば、第５〜第７のデータファイル７５〜７７の識別情報には、データファイルのファイル名以外にも、タイトル名、再生時間の長さ（長さ）、データファイルのサイズ、変更日時、更新日時、データファイルに付されたコメント等が含まれる。本実施形態では、これらの識別情報の少なくともいずれかにおける指定領域に対応するように、データ処理の開始位置が定められる。
【００５９】
以上のように本実施形態によれば、様々な識別情報のいずれか、あるいは複数の識別情報に含まれる領域を指定することによりデータファイル処理の開始位置が定められるため、データ処理の利便性がより高められる。例えば、同じデータファイルについての識別情報であって、ある程度以上の数の文字、記号等を含む複数の識別情報を、それぞれデータファイルのデータ領域と対応させておくことにより、データ処理の開始位置を速やかに決定することができる。タイトル名、ファイル名等の多くを同時に表示できない場合であっても、そのときに表示されているいずれかの識別情報の領域を指定すれば十分だからである。
【００６０】
データ処理のためのウィンドウ４０における表示方法等は、上述のいずれの実施形態にも限定されない。例えば、ファイル名を構成する指標としては、アルファベット等の文字、アイコン等の記号に加え、数字、スペース等が含まれても良い。さらに、拡張子を除くファイル名の指標を全データ領域に対応させても良い。ウィンドウ４０をタッチパネルで表示しても良い。また、第１〜第４の実施形態を適宜組み合わせても良い。例えば、第４の実施形態におけるタイトル名等の識別情報において、第２の実施形態と同様に画素数に基づいてデータファイルの処理の初期位置を定めても良い。
【００６１】
ファイル名に含まれる全指標中の指定領域の位置と、処理が開始されるデータ領域との対応関係を適宜調整しても良い。例えば、データファイルがいくつかのグループ、例えばｎ個のグループに分割されている場合、ファイルサイズをファイル名の全指標数で均等に分割させることなく、指定領域の位置に応じて、第１、第２、第３・・・のいずれかのグループの最初から処理を開始しても良い。また、マウス３６、キーボード３８以外の部材を用いてデータ処理を実行させても良い。
【００６２】
上述の実施形態におけるデータ処理を、内視鏡システム１０の他にビデオデッキ、携帯電話機等に適用しても良い。また、プロセッサ２０を含まないパソコン３０単体に適用しても良い。
【符号の説明】
【００６３】
１０  内視鏡システム
３０  パソコン
３２  パソコン本体（データ処理手段・データ処理制御手段）
３４  モニタ（データ領域表示手段・選択肢表示手段）
【図１】
2011146907.tif 000003
【図２】
2011146907.tif 000004
【図３】
2011146907.tif 000005
【図４】
2011146907.tif 000006
【図５】
2011146907.tif 000007
【図６】
2011146907.tif 000008
【図７】
2011146907.tif 000009
【図８】
2011146907.tif 000010
【図９】
2011146907.tif 000011